(57)【特許請求の範囲】
【請求項１】
オーガを内蔵した製氷筒と、
該製氷筒から搬送される氷を圧縮固化する押圧頭と、
該押圧頭から搬送される氷を適宜の大きさに分割するカッター機構と、
該カッターにより分割された氷を貯氷する貯氷庫と、
前記製氷筒内に供給された製氷水を冷却するための冷凍装置と、
前記貯氷庫内の貯氷量が上位作動値のときにオンし、前記貯氷庫内の貯氷量が前記上位作動値から一定量低下した下位作動値でオフする貯氷スイッチと、
前記貯氷庫内の貯氷量を製氷運転状況から算出する貯氷量演算手段と、
該貯氷量演算手段により算出された貯氷量が前記上位作動値まで増加したときに製氷運転を停止し、該貯氷量演算手段により算出された貯氷量が前記下位作動値からさらに減少した所定の中間氷量値である閾値まで低下した場合に製氷運転を開始する運転制御手段と
を備えていることを特徴とするオーガ式製氷機。
【請求項２】
前記貯氷量演算手段は、前記貯氷スイッチがオンする毎に貯氷量として満杯氷量値をリセットし、このリセットされた満杯氷量値を基準として、氷放出時には単位時間当たりの設定放出量を減算し、製氷運転時には単位時間当たりの設定製氷量を加算して、貯氷量を算出するごとく構成されていることを特徴とする請求項１記載のオーガ式製氷機。
【請求項３】
前記オーガ式製氷機は製氷運転停止中の前記製氷筒の温度を直接的にまたは間接的に検出する温度検出手段をさらに有し、該温度検出手段により検出された製氷筒の温度により前記所定の閾値を調整するごとくしたことを特徴とする請求項１記載のオーガ式製氷機。
【請求項４】
前記閾値を、製氷運転の停止時間により調整するごとくしたことを特徴とする請求項１記載のオーガ式製氷機。
【発明の詳細な説明】
【０００１】
【発明の属する技術分野】
本発明は、オーガ式製氷装置に関し、特に該オーガ式製氷装置の運転制御に関する。
【０００２】
【従来の技術】
一般的に、オーガ式製氷機において、製氷運転開始時は、冷凍装置の立ち上げに時間を要することと、製氷筒の温度が製氷運転停止期間中に温度上昇していること等により、製氷運転初期の段階では、製氷筒内壁に形成される薄氷層が十分に形成されていない。このため、この薄氷層をオーガにより削り取り、製氷筒上部に配設された押圧頭で圧縮固化し、カッターで分割して貯氷庫に搬送する氷は、所定の大きさ、温度および硬さを持ったものではなく、屑氷といわれるものとなる。この屑氷は、アーチングの原因となり氷取り出しの障害となるばかりか、商品としての氷の品質が悪く、できるだけ少なくするのが好ましい。
【０００３】
また、従来一般のオーガ式製氷機は、前記貯氷庫内の貯氷量が上位作動値のときにオンし、前記貯氷庫内の貯氷量が前記上位作動値から一定量低下した下位作動値でオフする貯氷スイッチを貯氷庫に備えている。なお、この貯氷スイッチは、上位作動値と下位作動値との差、つまり、ディファレンシャルが機構的に形成されているため、このディファレンシャルをあまり大きくとれないのが現状である。
【０００４】
そして、従来一般のオーガ式製氷機は、図７の製氷運転タイミングチャートに記載するように、貯氷スイッチＳＷがオフしたときに製氷運転を開始している。この製氷運転の開始は、より詳細には、製氷筒の内壁に形成されている薄氷を一定の状態に調整するために、貯氷スイッチＳＷがオフすると同時にギヤードモータＧＭがオンされ，所定時間ｔ１遅れて冷凍装置の圧縮機ＣＭがオンされている。また、従来のオーガ式製氷機は、貯氷スイッチＳＷがオンしたときに製氷運転を停止している。この製氷運転の停止は、より詳細には、貯氷スイッチＳＷの開閉繰り返し作動を避けるために、貯氷スイッチＳＷのオフから所定時間ｔ２経過後に圧縮機が停止されている。また、製氷筒の内壁の薄氷層を削り落とし、一定の状態とするために，ｔ３時間遅れてギヤードモータＧＭが停止される。このように、従来一般のオーガ式製氷機では、貯氷スイッチＳＷのオンオフにより製氷運転をオンオフ制御しているため、貯氷庫内の貯氷量は、製氷運転停止時と製氷運転開始時とでの差が小さく、製氷運転時間が短くなっていた。
【０００５】
この結果、図８に示すように、製氷運転時間Ｔso に対し屑氷の発生する時間Ｔsi の時間比率が高くなる。従って、貯氷庫に貯氷される氷のうち屑氷が多くなるという問題があった。なお、屑氷の発生する時間Ｔsiは、製氷運転開始時の製氷筒の温度が高い場合には製氷運転が安定するまでの時間が長くなり、製氷運転開始時の製氷筒の温度が低い場合には製氷運転が安定するまでの時間が短くなるというように、製氷筒の温度により左右される。
【０００６】
【発明が解決しようとする課題】
本発明は、このような従来の技術に存在する問題点に着目してなされたものである。その目的とするところは、屑氷の発生を少なくするように製氷運転を制御するオーガ式製氷機を提供することにある。
【０００７】
【課題を解決するための手段】
上記目的を達成するために、請求項１に記載の発明では、オーガを内蔵した製氷筒と、該製氷筒から搬送される氷を圧縮固化する押圧頭と、該押圧頭から搬送される氷を適宜の大きさに分割するカッターと、該カッターにより分割された氷を貯氷する貯氷庫と、前記製氷筒内に供給された製氷水を冷却するための冷凍装置と、前記貯氷庫内の貯氷量が上位作動値のときにオンし、前記貯氷庫内の貯氷量が前記上位作動値から一定量低下した下位作動値でオフする貯氷スイッチと、前記貯氷庫内の貯氷量を製氷運転状況から算出する貯氷量演算手段と、該貯氷量演算手段により算出された貯氷量が前記上位作動値まで増加したときに製氷運転を停止し、該貯氷量演算手段により算出された貯氷量が前記下位作動値からさらに減少した所定の中間氷量値である閾値まで低下した場合に製氷運転を開始する運転制御手段とを備えていることを特徴とする。
【０００８】
従って、請求項１記載のオーガ式製氷機においては、貯氷庫内の貯氷量が製氷運転停止時と製氷運転開始時とではその差が大きくなるので、１回当たりの製氷運転時間が長くなる。一方、屑氷の発生する時間は、１回当たりの製氷運転時間の長さには影響されないので、製氷運転時間に対する屑氷が発生する運転時間の比率が低下する。従って、貯氷される氷のうち屑氷の比率が減少し、品質の良い氷の量が増加する。
【０００９】
また、請求項２記載の発明のように、貯氷量演算手段は、貯氷量が前記上位作動値に増加して貯氷スイッチがオンする毎に貯氷量として満杯氷量値をリセットし、このリセットされた満杯氷量値を基準として、氷放出時には単位時間当たりの設定放出量を減算し、製氷運転時には単位時間当たりの設定製氷量を加算して貯氷量を算出するごとく構成することができる。また、このように構成した場合は、特殊な製氷検出機構を設けることなく容易に貯氷庫内の貯氷量を把握でき、適宜に設定された運転開始のための閾値に容易に対応することが可能となる。
【００１０】
なお、前記閾値を少なくすると屑氷の発生時間を減少させることができるが、あまり少なくすると繁忙期には氷がなくなる可能性がある。また、屑氷の発生時間は、前述のごとく製氷運転開始時の製氷筒の温度に影響され、この製氷筒の温度が高い場合は、屑氷発生時間が長くなる。このため、前記閾値としては、氷が不足するようなことのないようにある程度余裕を見た貯氷量としておき、屑氷の発生時間が長くなるような条件の場合に前記閾値を低く設定できるようにするのが好都合と考えられる。
請求項３記載の発明は、このようなニーズに対応するもので、製氷筒の温度を直接または間接的に検出し、この検出温度に対応して前記閾値を調整可能としたものである。また、製氷筒の温度は、製氷運転の停止時間中に製氷筒が周囲空気により徐々に暖められて上昇すると考えられるので、前記製氷筒の温度を検出する代わりに、製氷運転の停止時間を用いることができる。請求項４記載の発明は、このような観点より、前記製氷筒の温度検出手段に代わるものとして、製氷運転停止時間を検出しこの製氷運転の停止時間の長さにより前記閾値を調整可能としたものである。
【００１１】
【発明の実施の形態】
以下、本発明をオーガ式製氷機に具体化した各実施の形態を図１〜図６を参照しながら説明する。尚、本実施の形態において、前記従来技術と同一の構成要素には同一の符号を付しその説明を簡略化する。本実施の形態におけるオーガ式製氷機の構造については、図１にオーガ式製氷機全体の概略構成が示され、図２に該オーガ式製氷機の製氷装置周りの具体的構造が示されている。
【００１２】
図１に示されているように、このオーガ式製氷機は、製氷筒１ａを中心とする製氷装置１、該製氷装置１の上部に設けられた貯氷庫１８、該製氷装置１の側部に設けられた製氷水タンク５、製氷筒１ａを冷却するための冷凍装置１４、操作パネル３１、コントローラ３０等から構成されている。
【００１３】
製氷筒１ａは、製氷機本体内に鉛直に設置され、ステンレス鋼等で構成されている。製氷筒１ａの下部には、図２に示すように、給水口２が設けられ、給水管３の一端がこの給水口２に接続されている。この給水管３の他端は、接続ホース４を介して製氷水タンク５の底部に設けられた給水口６に接続されている。従って、製氷水タンク５に貯水された製氷水が、接続ホース４および給水管３を介して製氷筒１ａ内には供給されるようになっている。
【００１４】
また、製氷筒１ａの内部には、オーガ１６が配設されている。オーガ１６は、回転軸部２０の周りに螺旋刃２１を備えたもので、下端部において駆動装置であるギヤードモータ（ＧＭ）１５と連結されている。尚、２２は、メカニカルシールであって、回転軸部２０の下端部において製氷筒１ａの下端部を密封している。
【００１５】
また、製氷筒１ａの外周面には冷却管を螺旋状に巻回した蒸発器９が配設されている。この蒸発器９は、製氷筒１ａを冷却するためのもので冷凍装置１４の蒸発器を構成している。冷凍装置１４は、図１に示すように、圧縮機（ＣＭ）１０、凝縮器１１、膨張弁１３、蒸発器９等が順次接続された冷媒回路から形成されている。
【００１６】
前記製氷水タンク５にはフロートスイッチ７が設けられている。このフロートスイッチ７は、製氷水タンク５内の上限水位及び下限水位を感知するものであって、コントローラ３０の制御により、このフロートスイッチ７が製氷水タンク５内の下限水位を感知すると、給水回路に設けられた給水弁８が開弁して製氷水タンク５内に製氷水が給水される。また、フロートスイッチ７が製氷水タンク５内の上限水位を感知すると、給水弁８が閉弁して、製氷水タンク５への給水が停止される。
【００１７】
貯氷庫１８は、製氷筒１ａから送られてくる氷を貯蔵するものである。即ち、前記製氷水タンク５から、製氷筒１ａに製氷水が供給され、冷凍装置１４が駆動されることにより、このオーガ式製氷機の製氷運転が行われるが、この場合、冷凍装置１４の冷却作用により、製氷筒１ａ内の製氷水が冷却されて製氷筒１ａの内壁面に薄氷が形成される。そして、この薄氷は、ギヤードモータ（ＧＭ）１５により回転駆動されるオーガ１６により削り取られ、製氷筒１ａの上部に移送され、製氷筒１ａ内の上部に設けられた押圧頭１７で圧縮固化された後、カッター（図示せず）を経て製氷筒１ａの上端部に設けられた貯氷庫１８に送出され、貯蔵される。
【００１８】
貯氷庫１８には、従来のものと同様の貯氷スイッチ（ＳＷ）１９が設けられている。この貯氷スイッチ１９は、貯氷庫１８内の貯氷量が貯氷スイッチ１９の上位作動値、即ち、貯氷庫１８がほぼ満杯であるとして設定される満杯氷量値ＱＦになるとオンし、貯氷庫１８内の貯氷量がこの満杯氷量値ＱＦから一定量減少した下位作動値ＱＳになるとオフするように構成されている。なお、この下位作動値ＱＳは、前述のように、貯氷スイッチ１９の機構上の問題によりディファレンシャルが大きく取れないことから、満杯氷量値ＱＦに近い値であり、貯氷庫１８内がほぼ空の状態の貯氷量ＱＬに比しかなり大きい値である。また、この貯氷スイッチ１９は、貯氷庫１８内の貯氷量が満杯氷量値ＱＦに達したことを感知すると、コントローラ３０にオン信号を出力し、氷の使用により貯氷庫１８内の貯氷量が減って下位作動値ＱＳに達したことを感知すると、コントローラ３０にオフ信号を出力する。
【００１９】
貯氷庫１８には、氷を放出するための放出口が設けられ、この放出口に電磁式開閉扉ＳＶ（図１参照）が設けられ、この電磁式開閉扉ＳＶを介して氷放出路４１が受け皿４０に導出されている。また、水を需要者に供給可能とするために、給水弁８と並列に接続された給水管４２が受け皿４０へ導出されており、その途中には開閉弁としてのウォータバルブＷＶが介装されている。
【００２０】
このオーガ式製氷機は、操作パネル３１からの操作指令に基づきコントローラ３０により運転性制御される。操作パネル３１には、製氷スイッチ３２、放出スイッチ３３、水と氷の放出を選択する選択キー３４、製氷表示ランプ３５が設けられている。選択キー３４は、「水のみ」、「氷のみ」、「水と氷」の３種類の注出内容を選択可能とするキー３４ａ，３４ｂ，３４ｃを備えている。
【００２１】
コントローラ３０は、マイクロコンピュータ、メモリー等から構成されている。このコントローラ３０は、製氷スイッチ３２のオンオフ信号及び放出スイッチ３３のオンオフ信号を操作パネル３１から取り込み、更に、貯氷スイッチ１９、フロートスイッチ７等のオンオフ信号を取り込んでおり、後述する制御内容の運転制御装置及び貯氷量検出手段としての貯氷量演算手段を形成している。
【００２２】
図３は、運転制御装置のフローチャートを示す。図３において、ステップＳ１では、貯氷スイッチ１９の状態が確認されている。貯氷庫１８内の貯氷量ＱＴが満杯氷量値ＱＦに達し未だ下位作動値ＱＳまで低下していない場合は、貯氷スイッチ１９がオンとなっているので、ステップＳ４に進んで製氷運転停止指令が発せられる。また、貯氷庫１８内の貯氷量ＱＴが下位作動値ＱＳ以下の場合は、貯氷スイッチ１９がオフとなっており、ステップＳ２に進む。ステップＳ２では、貯氷量ＱＴが製氷運転を開始するかどうかの判断貯氷量となる閾値ＱＥ以下かどうかの判断が行われる。なお、貯氷量ＱＴは後述する図６に示される演算フローチャートを有する貯氷量演算手段により常時算出されている。貯氷量ＱＴが前記閾値ＱＥより少ない場合は、ステップＳ３に進み、製氷運転開始指令が発せられる。なお、貯氷量ＱＴが前記閾値ＱＥより多い場合はステップＳ３をスキップする。
【００２３】
図４は、上記運転制御における製氷運転の開始または停止のタイミングチャートを示す。即ち、貯氷量ＱＴが減少して前記下位作動値ＱＳなると、貯氷スイッチ（ＳＷ）１９がオフとなるが、従来と異なりこの時点では製氷運転は開始されない。そして、貯氷量ＱＴが減少して満杯氷量値ＱＦと空貯氷量ＱＬとの所定の中間値である前記閾値ＱＥまで減少すると、製氷運転指令が発せられる（ステップＳ３）。このとき、製氷筒１ａ内の薄氷層を一旦削り落とし一定の条件の下で安全に運転を開始するために、従来のものと同様先ずギヤードモータ（ＧＭ）１５が運転される。そして、所定時間ｔ１遅れて圧縮機（ＣＭ）が運転される。なお、前記閾値ＱＥは貯氷庫１８の大きさ、放出量等により設定値を変更するのが好ましい。具体的は、満杯貯氷量ＱＦの１／１０〜１／２に設定される。
【００２４】
このように製氷運転が開始されると貯氷量ＱＴが増加する。そして、貯氷量ＱＴが満杯氷量値ＱＦに達すると、貯氷スイッチ１９がオンして、製氷運転停止指令が発せられる（ステップＳ４）。製氷運転停止指令が発せられたときは、貯氷スイッチ１９の作動を安定化するために、従来のものと同様先ず所定時間ｔ２遅れて圧縮機（ＣＭ）が停止される。更に製氷筒１ａ内の薄氷層を削り落とした一定の状態とするために、所定時間ｔ３遅れてギヤードモータ（ＧＭ）１５が停止される。
【００２５】
次に、ステップＳ５において注出制御が行われる。この注出制御は、図２に示す水のみの選択キー３４ａ、氷のみの選択キー３４ｂ、水と氷の選択キー３４ｃにより選択された注出が行われるように制御される。
次に、ステップＳ６において、前記閾値ＱＥが製氷運転停止時間に対応するカウント数Ｔsの関数により算出されるｆ(Ts)により算出される。なお、上記カウント数Ｔsは、後述する図６の割り込み処理によりカウントされる。また、ｆ(Ts)は、Ｔsに対して図５のグラフのように設定されている。この図５において、Ｔsが０〜Ｔs1の間は、製氷運転を停止してからあまり時間が経過していない段階である。また、この段階では製氷筒１ａの温度が時間の経過とともに上昇している。そこで、閾値ＱＥを比例的に減少するように設定している。また、ＴsがＴs1以上になると、製氷筒１ａの温度が時間の経過に対し殆ど変化しなくなるので、閾値ＱＥは一定の値ＱＥ１に設定されている。
このようにステップＳ６において、閾値ＱＥが算出されてステップＳ１に戻り繰り返される。
【００２６】
図６は、貯氷量検知手段としての貯氷量演算手段の演算フローを示す。上記図３の運転制御に用いられる貯氷庫内の貯氷量ＱＴを算出するために、上記運転制御に対し一定時間間隔で図６の割り込み処理が実行される。この図６のステップＥ１においては、まず製氷運転中か否か確認される。このステップＥ１において、製氷運転中であるときは製氷運転の停止時間を示すカウント数ＴＳを０にリセットし、製氷運転停止のときはステップＥ２において、カウント数ＴＳに１が付加される。次に、ステップＥ４において、貯氷スイッチ１９の状態が確認される。貯氷スイッチ１９がオンの場合、つまり貯氷庫１８がほぼ満杯状態のときには、ステップＥ５において貯氷量ＱＴとして、予め算出されている所定の満杯氷量値ＱＦをリセットする。そして、ステップＥ６以降では、ステップＥ５でリセットされた満杯氷量値ＱＦを基準にして時々刻々変化する貯氷庫１８内の貯氷量ＱＴが算出される。尚、ステップＥ４でオフの場合には、ステップＥ５をスキップしてステップＥ６以降の処理を行う。
【００２７】
ステップＥ６においては、製氷運転中か否か確認され、ＹＥＳの場合はステップＥ７に進み、ＮＯの場合はステップＥ７をスキップする。ステップＥ７では、製氷運転中は貯氷量ＱＴが単位時間当たりの製氷量ＱＭ分増加することに鑑み、単位時間当たりの製氷量ＱＭが貯氷量ＱＴに加算される。
また、ステップＥ８では、貯氷量ＱＴが満杯氷量値ＱＦを超えているかいなかを判断し、貯氷量ＱＴが満杯氷量値ＱＦを超えている場合にはステップＥ９において貯氷量ＱＴを満杯氷量値ＱＦに補正する。また、貯氷量ＱＴが満杯氷量値ＱＦを超えていない場合にはステップＥ９をスキップしステップＥ１０にスキップする。
【００２８】
次に、ステップＥ１０では、貯氷庫１８の放出口に設けられた電磁式開閉扉ＳＶの状態が確認される。開の場合（ＳＶオンの場合）、つまり氷を放出している場合は、ステップＥ１１に進み，閉の場合（ＳＶオフの場合）、つまり氷を放出していない場合は、ステップＥ１１をスキップする。ステップＥ１１では、氷放出中は貯氷量ＱＴが単位時間当たりの放出量ＱＲ分減少することに鑑み、単位時間当たりの放出量ＱＲ分が貯氷量ＱＴから減算される。そして、このステップＥ１１を以って割り込み処理を終了し運転制御フローに戻る。
【００２９】
以上のように、本実施の形態によれば、貯氷量演算手段により貯氷量ＱＴが算出されるので、貯氷量ＱＴを常時把握することができる。そして、製氷運転は貯氷量ＱＴが貯氷スイッチ１９の下位作動値ＱＳよりも下方の所定の中間氷量値である閾値ＱＥまで減少したときに開始されるので、製氷運転停止時と製氷運転開始時とにおける貯氷量の差が大きくなり、１回当たりの製氷運転時間が長くなる。このため、製氷運転時間に対する屑氷の発生する運転時間の比率が低下する。従って、貯氷される氷のうち屑氷の発生比率が減少し、品質の良い氷の量が増加する。
【００３０】
また、前述のように前記貯氷量検出手段としての貯氷量演算手段は、貯氷量ＱＴが前記上位作動値に増加して貯氷スイッチ１９がオンする毎に貯氷量ＱＴとして満杯氷量値をリセットし、このリセットされた満杯氷量値ＱＦを基準として、氷放出時には単位時間当たりの設定放出量ＱＲを減算し、製氷運転時には単位時間当たりの設定製氷量ＱＭを加算して、貯氷量ＱＴを算出するごとく構成されている。従って、この貯氷量演算手段には特殊な製氷検出機構を設ける必要がなく、容易に、かつ、常に貯氷量ＱＴを把握することができる。また、このように貯氷量ＱＴの変化が常時把握されているので、前記閾値ＱＥが貯氷庫１８の大きさや放出量ＱＲ等の装置の仕様に合せて適宜に設定されても、この閾値ＱＥと貯氷量ＱＴとの対比が極めて容易である。従って、閾値ＱＥを適宜設定することが容易となる。
【００３１】
また、本実施の形態では、閾値ＱＥは、製氷運転停止時間が長くなると、製氷筒１ａの温度が上昇することを考慮して変化させるように構成されている。このため、屑氷の発生時間の長短に対応して製氷運転開始時の貯氷量（即ち、前記閾値ＱＥ）が合理的に設定されることになる。
【００３２】
上記実施の形態においては、閾値ＱＥは、製氷運転停止時間に対応して設定されているが、製氷筒１ａの温度を直接または間接的に検出し、この検出値に対応して閾値ＱＥを調整するようにしてもよい。例えば、製氷筒１ａの温度を直接検出する方法として温度センサーを製氷筒１ａの上部に設けてもよい。この場合は、この温度センサにより検出された温度に対応して閾値ＱＥを調整する。また、製氷筒１ａの温度を間接的に検出する方法として、製氷筒１ａの温度に大きな影響を与える製氷運転停止中の蒸発器９の温度、製氷運転停止中の蒸発器９内の冷媒圧力などを検出するセンサを設けても良い。即ち、これらセンサにより検出された検出値により製氷筒１ａの温度を間接的に把握することができる。また、この場合には、これら検出値に対応して閾値ＱＥを調整する。
【００３３】
【発明の効果】
本発明は、以上のように構成されているため、次のような効果を奏する。
請求項１記載の発明によれば、貯氷される氷のうち屑氷の比率が減少し、品質の良い氷の量が増加する。また、貯氷庫内の氷のアーチングが減少する。
【００３４】
また、請求項２記載の発明によれば、特殊な製氷検出機構を設けることなく容易に貯氷庫内の貯氷量が把握でき、適宜に設定された運転開始のための閾値に容易に対応することが可能となる。
【００３５】
また、請求項３及び４記載の発明によれば、屑氷の発生時間の長短に対応して製氷運転開始のための閾値を合理的に設定することが可能である。
【図面の簡単な説明】
【図１】  本発明の実施形態に係るオーガ式製氷機の製氷機の概略全体構成を示す図である。
【図２】  同上製氷機の製氷装置周りの構成を示す図である。
【図３】  同上製氷機の運転制御装置の制御フローチャートである。
【図４】  同上運転制御装置における製氷機の製氷運転開始及び停止のタイチャートミングである。
【図５】  同上運転制御装置における閾値の設定グラフである。
【図６】  同上製氷機の貯氷量演算手段のフローチャートである。
【図７】  従来のオーガ式製氷機の製氷運転開始及び停止のタイチャートミングである。
【図８】  従来のオーガ式製氷機における屑氷発生量を説明するための図である。
【符号の説明】
１…製氷装置，１ａ…製氷筒、５…製氷水タンク、９…蒸発器、１０…圧縮機（ＣＭ）、１４…冷凍装置、１５…ギヤードモータ（ＧＭ）、１８…貯氷庫、１９…貯氷スイッチ（ＳＷ）、３０…コントローラ、３１…操作パネル、３２…製氷スイッチ、３３…放出スイッチ、３４…選択キー、３５…製氷表示ランプ、ＳＶ…電磁式開閉扉，ＱＥ…閾値，ＱＦ…満氷氷量値，ＱＬ…空状態の貯氷量、ＱＭ…単位時間当たりの製氷量、ＱＲ…単位時間当たりの氷放出量、ＱＳ…下位作動値、ＱＴ…貯氷量。
【図１】
0004460658.tif 000002
【図２】
0004460658.tif 000003
【図３】
0004460658.tif 000004
【図４】
0004460658.tif 000005
【図５】
0004460658.tif 000006
【図６】
0004460658.tif 000007
【図７】
0004460658.tif 000008
【図８】
0004460658.tif 000009